(57)【要約】【課題】記憶媒体が添付された原稿の記憶媒体の記憶情報と原稿表面の画像情報とを比較し、その結果に応じた出力を行う。【解決手段】原稿に添付された記憶媒体から記憶情報を取得する取得手段と、原稿の画像から画像情報を読み取る読取手段と、記憶情報と画像情報との比較を行い、比較結果が既定の条件を満たすか否かを判断する判断手段と、判断手段によって判断した判断結果に応じた態様で出力を行う出力手段と、を備える。【選択図】        図４
2013093684.tif 000002
【特許請求の範囲】
【請求項１】
原稿に添付された記憶媒体から記憶情報を取得する取得手段と、
原稿から画像情報を読み取る読取手段と、
前記記憶情報と前記画像情報との比較を行い、比較結果が既定の条件を満たすか否かを判断する判断手段と、
前記判断手段によって判断した判断結果に応じた態様で出力を行う出力手段と
を備えることを特徴とする画像処理装置。
【請求項２】
請求項１に記載の画像処理装置において、
前記原稿に記憶媒体が添付されているか否かを検知する検知手段を備え、
前記出力手段は、
前記検知手段により原稿に記憶媒体が添付されていると検知された場合、前記判断結果に応じた態様で出力を行い、
前記検知手段により原稿に記憶媒体が添付されていないと検知された場合、原稿に記憶媒体が添付されていない場合に用いる、予め定められた態様で出力を行う、ことを特徴とする画像処理装置。
【請求項３】
請求項１または請求項２に記載の画像処理装置において、
ユーザからの、前記判断が必要か否かの指示を受け付ける第一の受付手段を備え、
前記出力手段は、
前記第一の受付手段が指示を受け付けた場合、前記判断結果に応じた態様で出力を行い、
前記第一の受付手段が指示を受け付けなかった場合、指示を受け付けなかった場合に用いる、予め定められた態様で出力を行う、ことを特徴とする画像処理装置。
【請求項４】
請求項１から請求項３のいずれかに記載の画像処理装置において、
前記画像情報を読み取る原稿面が、前記既定の条件を満たすか否かの判断を行う原稿面か否かを判定する判定手段を備え、
前記出力手段は、
前記判定手段が前記既定の条件を満たすか否かの判断を行う原稿面であると判定した場合、前記判断結果に応じた態様で出力を行い、
前記判定手段が前記既定の条件を満たすか否かの判断を行う原稿面でないと判定した場合、前記既定の条件を満たすか否かの判断を行う原稿面でない場合に用いる、予め定められた態様で出力を行う、ことを特徴とする画像処理装置。
【請求項５】
請求項１から請求項４のいずれかに記載の画像処理装置において、
原稿種別を特定する特定手段を備え、
前記判断手段は、前記特定手段によって特定された原稿種別に基づいて、比較に用いる記憶情報，画像情報，及び条件の少なくとも一つを変更する、ことを特徴とする画像処理装置。
【請求項６】
請求項１から請求項５のいずれかに記載の画像処理装置において、
ユーザからの、比較に用いる記憶情報，画像情報，及び条件の少なくとも一つを変更する指示を受け付ける第二の受付手段を備え、
前記判断手段は、前記第二の受付手段が受け付けた指示に基づいて、比較に用いる記憶情報，画像情報，及び条件の少なくとも一つを変更する、ことを特徴とする画像処理装置。
【請求項７】
請求項１から請求項６のいずれかに記載の画像処理装置において、
前記判断手段は、前記画像情報として、原稿の画像を光学文字認識した文字情報を用いる、ことを特徴とする画像処理装置。
【請求項８】
請求項１から請求項７のいずれかに記載の画像処理装置において、
前記出力手段は、前記判断結果に応じた態様として、出力するという態様、及び出力しないという態様、を有している、ことを特徴とする画像処理装置。
【発明の詳細な説明】
【技術分野】
【０００１】
本発明は、画像処理装置に関する。さらに詳細には、記憶媒体から記憶情報を取得することが可能な画像処理装置に関するものである。
【背景技術】
【０００２】
従来、運転免許証等のＩＤカードを提示して身分証明を行い、その控えとしてＩＤカードをコピーすることが広く行われている。また、ＩＤカードに添付された記憶媒体の記憶情報を基に認証を行う技術も広く知られている。
【先行技術文献】
【特許文献】
【０００３】
【特許文献１】特開平５−５４２４１
【発明の概要】
【発明が解決しようとする課題】
【０００４】
しかしながら、ＩＤカードのスキャンやコピーを実行する際には、記憶媒体の記憶情報と原稿面の画像情報とが異なっていることもあった。例えば、ＩＤカードが改ざんされて原稿面の画像情報が書き換えられていたり、記憶媒体の記憶情報が書き換えられていたりする場合である。従来では、スキャンやコピー等の出力を実行する際、記憶情報と画像情報とがどのような関係にあるか、例えば、両情報が同一か否か、に関わらず、画一的な出力が行われていた。そのため、ユーザは、記憶情報と画像情報とがどのような関係にあるかについて知ることなく、スキャンやコピー等の出力を得ていた。
【０００５】
本発明は、上述した問題点を解決するためになされたものであり、記憶媒体が添付された原稿の記憶媒体の記憶情報と原稿表面の画像情報とを比較した結果に応じた出力を行うことが可能な画像処理装置を提供することを目的とする。
【課題を解決するための手段】
【０００６】
この目的を達成するために、第１の発明に係る画像処理装置は、原稿に添付された記憶媒体から記憶情報を取得する取得手段と、原稿から画像情報を読み取る読取手段と、前記記憶情報と前記画像情報との比較を行い、比較結果が既定の条件を満たすか否かを判断する判断手段と、前記判断手段によって判断した判断結果に応じた態様で出力を行う出力手段とを備える。
【０００７】
第１の発明によれば、記憶情報と画像情報とが既定の条件を満たすか否かの判断結果に応じた態様で出力を行うため、ユーザは、その出力態様から記憶情報と画像情報とがどのような関係にあるかを推測することができる。
【０００８】
また、第２の発明に係る画像処理装置は、前記原稿に記憶媒体が添付されているか否かを検知する検知手段を備え、前記出力手段は、前記検知手段により原稿に記憶媒体が添付されていると検知された場合、前記判断結果に応じた態様で出力を行い、前記検知手段により原稿に記憶媒体が添付されていないと検知された場合、原稿に記憶媒体が添付されていない場合に用いる、予め定められた態様で出力を行う、ことを特徴とする。
【０００９】
第２の発明によれば、検知手段により記憶媒体が検知されたときに、記憶情報と画像情報とが、既定の条件を満たすか否かの判断結果に応じた態様で出力を行うことができ、検知しなかったときは記憶媒体が添付されていない場合に用いる、予め定められた態様で出力を行うことができる。
【００１０】
また、第３の発明に係る画像処理装置は、ユーザからの、前記判断が必要か否かの指示を受け付ける第一の受付手段を備え、前記出力手段は、前記第一の受付手段が指示を受け付けた場合、前記判断結果に応じた態様で出力を行い、前記第一の受付手段が指示を受け付けなかった場合、指示を受け付けなかった場合に用いる、予め定められた態様で出力を行う、ことを特徴とする。
【００１１】
第３の発明によれば、ユーザが指示したときに、記憶情報と画像情報とが既定の条件を満たすか否かの判断結果に応じた態様で出力を行うことができ、ユーザが指示しなかったときは指示しなかった場合に用いる、予め定められた態様で出力を行うことができる。
【００１２】
また、第４の発明に係る画像処理装置は、前記画像情報を読み取る原稿面が、前記既定の条件を満たすか否かの判断を行う原稿面か否かを判定する判定手段を備え、前記出力手段は、前記判定手段が前記既定の条件を満たすか否かの判断を行う原稿面であると判定した場合、前記判断結果に応じた態様で出力を行い、前記判定手段が前記既定の条件を満たすか否かの判断を行う原稿面でないと判定した場合、前記既定の条件を満たすか否かの判断を行う原稿面でない場合に用いる、予め定められた態様で出力を行う、ことを特徴とする。
【００１３】
第４の発明によれば、記憶情報と画像情報との比較結果が既定の条件を満たすか否かを判断する原稿面であるときは、判断結果に応じた態様で出力を行い、判断を行う原稿面でないときは、予め定められた態様で出力を行うことができる。
【００１４】
また、第５の発明に係る画像処理装置は、原稿種別を特定する特定手段を備え、前記判断手段は、前記特定手段によって特定された原稿種別に基づいて、比較に用いる記憶情報，画像情報，及び条件の少なくとも一つを変更することを特徴とする。
【００１５】
第５の発明によれば、特定手段によって特定された原稿種別に基づいて、比較に用いる記憶情報，画像情報，及び条件の少なくとも一つを変更することができる。
【００１６】
また、第６の発明に係る画像処理装置は、ユーザからの、比較に用いる記憶情報，画像情報，及び条件の少なくとも一つを変更する指示を受け付ける第二の受付手段を備え、前記判断手段は、前記第二の受付手段が受け付けた指示に基づいて、比較に用いる記憶情報，画像情報，及び条件の少なくとも一つを変更することを特徴とする。
【００１７】
第６の発明によれば、ユーザの指示によって比較に用いる記憶情報，画像情報，及び条件の少なくとも一つを変更することができる。
【００１８】
また、第７の発明に係る画像処理装置は、前記判断手段は、前記画像情報として、原稿の画像を光学文字認識した文字情報を用いる、ことを特徴とする。
【００１９】
第７の発明によれば、記憶情報との比較に文字情報を使用することができる。
【００２０】
また、請求項８記載の画像処理装置は、前記出力手段は、前記判断結果に応じた態様として、出力するという態様、及び出力しないという態様、を有している、ことを特徴とする。
【００２１】
第８の発明によれば、判断結果に応じて、出力を行ったり行わなかったりすることができる。
【発明の効果】
【００２２】
本発明によれば、記憶媒体が添付された原稿の記憶媒体の記憶情報と原稿面の画像情報とを、比較した結果に応じた出力をすることができる画像処理装置が実現される。
【図面の簡単な説明】
【００２３】
【図１】実施の形態にかかるＭＦＰの外観を示す図である。
【図２】ＭＦＰの画像読取部の構成を示す断面図である。
【図３】実施の形態にかかるＭＦＰの電気的構成を示すブロック図である。
【図４】第１の実施形態におけるコピー処理の手順を示すフローチャートである。
【図５】第２の実施形態におけるコピー処理の手順を示すフローチャートである。
【発明を実施するための形態】
【００２４】
以下、本発明にかかる画像形成装置を具体化した実施の形態について、添付図面を参照しつつ詳細に説明する。本実施形態は、原稿に添付された、例えばＲＦＩＤ（Ｒａｄｉｏ  Ｆｒｅｑｕｅｎｃｙ  Ｉｄｅｎｔｉｆｉｃａｔｉｏｎ）タグ等の記憶媒体に記憶された情報を取得することが可能な複合機（ＭＦＰ：Ｍｕｌｔｉ  Ｆｕｎｃｔｉｏｎ  Ｐｅｒｉｐｈｅｒａｌ）に本発明を適用したものである。
【００２５】
［ＭＦＰの構成］
本実施形態のＭＦＰ１００は、図１に示すように、用紙に画像を印刷する画像形成部１０（出力手段の一例）と、原稿の画像を読み取る画像読取部２０とを備えている。なお、画像形成部１０の画像形成方式は、電子写真方式であっても、インクジェット方式であってもよい。また、カラー画像及びモノクロ画像の形成が可能であってもよいし、モノクロ画像のみの形成が可能であってもよい。画像読取部２０も、カラー画像及びモノクロ画像の読み取りが可能であってもよいし、モノクロ画像のみの読み取りが可能であってもよい。
【００２６】
画像読取部２０（読取手段の一例）には、前面側に、液晶ディスプレイからなる表示部４１（出力手段の一例）、各種のボタン（例えば、スタートキー，ストップキー，テンキーの各ボタン）によって構成されるボタン群４２等を備えた操作パネル４０（第一の受付手段，第二の受付手段の一例）が設けられている。ＭＦＰ１００では、この表示部４１やボタン群４２により、動作状況の表示やユーザによる入力が可能になっている。
【００２７】
［画像読取部の構成］
画像読取部２０は、図２に示すように、原稿（例えば図２中の原稿９０）の画像の読み取りを行うスキャナ部２１と、原稿の自動搬送を行うＡＤＦ（Ａｕｔｏ  Ｄｏｃｕｍｅｎｔ  Ｆｅｅｄｅｒ：自動原稿供給装置）２２とを備えている。
【００２８】
スキャナ部２１は、その上面に位置する透明なプラテンガラス２３、２４と、その内部に位置するイメージセンサ２５とを備えている。イメージセンサ２５は、ＡＤＦ２２によって原稿が自動搬送される際には、プラテンガラス２３下に固定され、原稿の画像を読み取る。また、イメージセンサ２５は、原稿がプラテンガラス２４上に載置される際には、副走査方向（図２の矢印Ａ方向）に移動して、原稿の画像を読み取る。
【００２９】
ＡＤＦ２２は、読み取り前の原稿を載置する原稿トレイ２２１と、読み取り後の原稿を載置する排出トレイ２２２とを備えている。ＡＤＦ２２は、原稿トレイ２２１に載置された原稿を１枚ずつ取り出し、搬送路２２３を介してプラテンガラス２３に対向する位置に搬送する。そして、イメージセンサ２５が主走査方向に１ラインずつ原稿の画像を読み取る。その後、その原稿を排出トレイ２２２上に排出する。
【００３０】
画像読取部２０は、記憶媒体を検知し、その記憶媒体に対してデータの取得及び書き込みを行うことが可能なＲ／Ｗ装置５０（取得手段，検知手段の一例）を備えている。Ｒ／Ｗ装置５０は、記憶媒体が添付された原稿が、原稿トレイ２２１上に載置された場合、あるいはプラテンガラス２４上に載置された場合に、その記憶媒体にアクセス可能な範囲に配置される。なお、本発明によれば、取得手段は少なくとも原稿に添付された記憶媒体が記憶している記憶情報を取得できればいいので、書き込む機能は備えていなくてもよい。また、読取手段としての画像読取部２０が取得手段であるＲ／Ｗ装置５０を備えているが、取得手段と読取手段は別に設けてもよい。
【００３１】
［ＭＦＰの電気的構成］
続いて、ＭＦＰ１００の電気的構成について説明する。ＭＦＰ１００は、図３に示すように、ＣＰＵ３１（判断手段，特定手段，判定手段の一例）と、ＲＯＭ３２と、ＲＡＭ３３と、ＮＶＲＡＭ（Ｎｏｎ  Ｖｏｌａｔｉｌｅ  ＲＡＭ）３４とを備えた制御部３０を備えている。また、制御部３０は、画像形成部１０と、画像読取部２０と、操作パネル４０と、ネットワークインターフェース３７とに、電気的に接続されている。
【００３２】
ＲＯＭ３２には、ＭＦＰ１００を制御するための制御プログラムであるファームウェアや各種設定、初期値等が記憶されている。ＲＡＭ３３及びＮＶＲＡＭ３４は、各種制御プログラムが読み出される作業領域として、あるいは印刷データを一時的に記憶する記憶領域として利用される。
【００３３】
ＣＰＵ３１は、ＲＯＭ３２から読み出した制御プログラムや各種センサから送られる信号に従って、その処理結果をＲＡＭ３３またはＮＶＲＡＭ３４に記憶させながら、ＭＦＰ１００の各構成要素を制御する。
【００３４】
ネットワークインターフェース３７は、他の装置との通信を可能にするインターフェースである。ＭＦＰ１００は、ネットワークインターフェース３７を介して他の装置から送信される印刷データを受信する。
【００３５】
［ＭＦＰの制御］
続いて、ＭＦＰ１００の制御について説明する。ＭＦＰ１００は、記憶媒体が添付された原稿に対し、その記憶媒体に記憶された記憶情報と原稿の表面に形成された画像情報との比較を行い、比較結果が既定の条件を満たすか否かを判断し、その判断結果に応じた態様でコピーを行うＩＤコピーモードを有する。このＩＤコピーモードは、例えば運転免許証や保険証、あるいはパスポートといった特定の原稿をコピーする場合に好適である。なお、ＩＤコピーモードを利用する際の原稿は、記憶媒体が添付された原稿であればよく、個人認証に用いられる原稿に限るものではない。
【００３６】
なお、ＩＤコピーモードでない場合は、非ＩＤコピーモードが実行される。非ＩＤコピーモードは、原稿に記憶媒体が添付されているか否かに関係なく、一般的なコピー、すなわち、原稿の表面に形成された画像情報を読み取って用紙にコピーするモードである。
【００３７】
［コピー処理］
［第１の実施形態］
以下、第１の実施形態に関するコピー処理（取得手段，読取手段，判断手段，出力手段，検知手段，第一の受付手段，第二の受付手段，判定手段，特定手段の一例）について、図４のフローチャートを参照しつつ説明する。
【００３８】
第１の実施形態のコピー処理では、スタートキーの押下が検出されると、ユーザによってセットされている原稿の読み取りが開始される。原稿は、ＡＤＦ２０にセットされていてもよいし、プラテンガラス２４にセットされていてもよい。
【００３９】
ここで、操作パネル４０の操作によってユーザから指定された指示(第一の受付手段の一例)に基づいて、原稿に添付された記憶媒体の記憶情報と原稿の画像情報との比較結果が、既定の条件を満たすか否かの判断が必要か否かをＣＰＵ３１が判断する（Ｓ１００）。なお、これはＲ／Ｗ装置５０が原稿に添付された記憶媒体を検知したか否かとしてもよい（Ｓ１００、検知手段の一例）。
【００４０】
Ｓ１００にて、ユーザによって判断が必要でないと指示される、またはＲ／Ｗ装置５０が記憶媒体を検知しない（Ｓ１００：Ｎｏ）ときは、制御部３０によって非ＩＤコピーモードに切り替え、予め定められた態様で出力を行う（Ｓ１０１）。例えば、そのまま読み取った画像を印刷する。
【００４１】
一方、Ｓ１００にてユーザによって判断が必要だと指示される、またはＲ／Ｗ装置５０が記憶媒体を検知する（Ｓ１００：Ｙｅｓ）と、制御部３０によってＩＤコピーモードに切り替え、Ｓ１０２に移行する。
【００４２】
Ｓ１０２では、画像読取部２０が原稿の画像情報を読み取る（読取手段の一例）。次に、Ｒ／Ｗ装置５０が原稿に添付された記憶媒体に記憶された記憶情報を取得する(Ｓ１０３、取得手段の一例)。続いて、取得した記憶情報と読み取った画像情報は、ＲＡＭ３３あるいはＮＶＲＡＭ３４に記憶される。ここで、画像情報として、原稿の文字を光学文字認識した文字情報を記憶してもよい。これにより、比較結果が既定の条件を満たすか否かの判断に使用できる情報の選択肢が多くなったり、判断の精度が上がったりすることが期待できる。
【００４３】
なお、Ｓ１０２とＳ１０３の順序は逆でもよいものとする。この場合は、Ｓ１００にて判断が必要とされると（Ｓ１００：Ｙｅｓ）、Ｒ／Ｗ装置５０が原稿に添付された記憶媒体に記憶された記憶情報を取得し（Ｓ１０３）、次に画像読取部２０が原稿の画像情報を読み取る（Ｓ１０２）。そしてＳ１０４に移行する。
【００４４】
その後、ＣＰＵ３１が原稿の種別を特定する（Ｓ１０４、特定手段の一例）。例えば、取得した記憶情報あるいは読み取った画像情報に、名前と国籍が含まれていた場合、この原稿の種別はパスポートであると特定する。または、取得した記憶情報あるいは読み取った画像情報に、名前，住所及び免許種別が含まれていた場合、この原稿の種別は、運転免許証であると特定する。
【００４５】
次に、Ｓ１０５にて、ＣＰＵ３１は特定された原稿種別に基づいて、比較に用いる記憶情報，画像情報及び条件の少なくとも一つを変更する。ここでいう条件とは、例えば、完全一致，前方一致，類似等である。これにより、記憶情報と画像情報が既定の条件を満たすか否かを、特定された原稿種別に応じて適切に判断することが期待できる。
【００４６】
そして、画像読取部２０によって読み取った画像情報に、記憶情報との比較に用いる情報が含まれているか否かによって、判断を行う原稿面であるか否かを判定する（Ｓ１０５、判定手段の一例）。例えば、読み取った画像情報に名前，性別，住所のいずれかが含まれていれば、判断を行う原稿面であるとし、名前，性別，住所のいずれも含まれていなければ、判断を行う原稿面でないと判定する。
【００４７】
これにより、不要な判断やエラー等の発生を抑えることができる。つまり、記憶情報との比較に用いる画像情報が含まれていない原稿面で、記憶情報と画像情報とが既定の条件を満たすか否かの、不要な判断を抑えられる。また、記憶情報と画像情報との比較ができずにエラーが発生したり、比較結果が既定の条件を満たさなかったと判断されたりすることも抑えられる。
【００４８】
なお、判断を行う原稿面であるか否かの判定は、操作パネル４０からのユーザの指示があったか否かで判定してもよい（第二の受付手段の一例）。例えば、操作パネル４０のＹｅｓキーの押下が検出されると、ＣＰＵ３１は判断を行う原稿面であると判定し、Ｎｏキーが押下されると判断を行う原稿面でないと判定する（Ｓ１０５）。
【００４９】
判断を行う原稿面であると判定されたら（Ｓ１０５：Ｙｅｓ）、ＣＰＵ３１は記憶情報と画像情報を比較し、比較結果が既定の条件を満たすか否かを判断する（Ｓ１０６、判断手段の一例）。例えば、原稿が運転免許証の場合に、記憶情報には名前，顔写真，住所，免許種別が情報として含まれ、画像情報には名前，顔写真，住所が情報として含まれているとする。
【００５０】
そして、運転免許証という原稿種別に基づいて、比較に用いる記憶情報，画像情報，及び条件が、例えば、記憶情報の名前と画像情報の名前が完全一致するか否か、記憶情報の顔写真と画像情報の顔写真が部分一致するか否か、を判断すると変更されていたとする。
【００５１】
この場合、記憶情報の名前と画像情報の名前が完全一致し、記憶情報の顔写真と画像情報の顔写真が類似していれば、既定の条件を満たすと判断する。一方、記憶情報の名前と画像情報の名前が完全一致しない、あるいは記憶情報の顔写真と画像情報の顔写真が類似していなければ、既定の条件を満たさないと判断する。
【００５２】
なお、Ｓ１０５では、判断を行う原稿面であるか否かを判定せず、Ｓ１０４の後にＳ１０６へと移行してもよい。この場合、判断結果に応じた態様での出力は、原稿面ごとには行わない。例えば、全ての原稿面の画像情報を記憶しておき、全ての原稿面の読取が完了してから、記憶情報と画像情報とが既定の条件を満たすか否かの判断を行い、その判断結果に応じた態様で印刷を行ってもよい。
【００５３】
続いて、Ｓ１０６にて判断された判断結果に応じた態様で、画像形成部１０が出力を行う（出力手段の一例）。例えば、図４に示すように比較結果が既定の条件を満たしていれば（Ｓ１０６：Ｙｅｓ）、読み取った画像を印刷し（Ｓ１０７）、条件を満たしていなかった場合は（Ｓ１０６：Ｎｏ）印刷しない（Ｓ１０８）。これにより、既定の条件を満たすものを印刷することができる。
【００５４】
上記第１の実施形態では、Ｓ１０４にて特定した原稿種別に基づいて、比較に用いる記憶情報，画像情報，及び条件の少なくとも一つを変更している。しかし、比較に用いる記憶情報，画像情報，及び条件は、操作パネル４０の操作によってユーザから指定されたものでもよい。この場合、例えば、原稿が運転免許証だった場合、名前について完全一致するか否か、顔写真が類似するか否かを判断する、と操作パネル４０から指示される。
【００５５】
これにより、記憶情報と画像情報とが既定の条件を満たすか否かを、ユーザの意図するように適切に判断することが期待できる。なお、比較に用いる記憶情報，画像情報，及び条件は、原稿種別やユーザの指示に基づかなくてもよい。この場合、例えば、記憶情報と画像情報が有している全ての情報について、完全一致するか否か、あるいは類似するか否かを判断してもよい。
【００５６】
また、上記第１の実施形態では、図４に示すように比較結果が既定の条件を満たしていないと判断された場合、読み取った画像情報を印刷しないとした（Ｓ１０８）。しかしここでは、例えば記憶情報と画像情報とが既定の条件を満たさなかった旨を示す、異種類の画像を付加して印刷してもよい。例えば、×マークや不一致という文字を、読み取った画像とともに印刷したり、色を変えて印刷したりしてもよい。これにより、既定の条件を満たさなかったことが分かる状態で印刷することができる。
【００５７】
また、上記実施の形態では、Ｓ１０７やＳ１０８において、Ｓ１０６にて判断した判断結果を、例えばＰＣやサーバ等の外部装置や、操作パネル４０に通知してもよい。通知方法は、例えば表示部４１に表示してもよいし、アナウンスやエラー音等でもよい。これにより、記憶情報と画像情報とが既定の条件を満たさなかったことを、ユーザが分かりやすくなる。
【００５８】
［第２の実施形態］
続いて、ＩＤコピーの別実施形態について、図５を参照しつつ説明する。本実施形態のＩＤコピーでは、記憶媒体に固有の記憶情報から得られた情報と画像情報とを比較する。この点、記憶媒体に記憶された記憶情報と原稿の画像情報を原稿種別やユーザの指定に基づいて比較判断する第１の実施形態とは異なる。なお、第１の実施形態と同じ処理については、第１の実施形態と同じ符号を付し、説明を省略する。
【００５９】
第２の実施形態のＩＤコピー処理では、Ｓ１００からＳ１０５までの処理、Ｓ１０７からＳ１０８までの処理は、第１の実施形態と同様である。
【００６０】
なお、第２の実施形態では、Ｓ１０３にて、記憶媒体に固有の記憶情報を取得する。記憶媒体に固有の記憶情報とは、書き換えが不可能な領域にある情報であり、例えばＲＦＩＤタグの製造番号等である。
【００６１】
そして、Ｓ１０５にて判断が必要な原稿面だと判定された後（Ｓ１０５：Ｙｅｓ）、記憶媒体に固有の記憶情報と画像情報の対応関係をデータベースより参照する（Ｓ２０１）。そして、画像情報とデータベースから参照した情報を比較する（Ｓ２０２）。例えば、ＲＦＩＤの製造番号１１１１は、所有者Ａさんであるという対応関係が参照された場合に、画像情報がＡさんの情報を示しているか否かを判断するといった具合である。データベースは、例えばＰＣやサーバ等の外部装置にあってもよいし、プリンタ内のＮＶＲＡＭ２４にあってもよい。
【００６２】
なお、固有の記憶情報と画像情報をデータベースより参照するのは、Ｓ１０４の前でもＳ１０５の前でもよい。Ｓ１０４の前に行う場合、Ｓ１０３にて記憶情報を取得した後、固有の記憶情報と画像情報をデータベースより参照し（Ｓ２０１）、原稿の種別を特定するＳ１０４以降へと移行する。また、Ｓ１０５の前に行う場合、Ｓ１０４にて原稿の種別を特定した後、固有の記憶情報と画像情報をデータベースより参照し（Ｓ２０１）、判断が必要な原稿面か否かを判定するＳ１０５以降へと移行する。
【００６３】
前述したように、第２の実施形態では、書き換えが不能な記憶媒体に固有の記憶情報を画像情報と画像情報とを比較する。そのため、比較の精度が高くなることが期待できる。
【００６４】
なお、本実施形態は単なる例示にすぎず、本発明を何ら限定するものではない。したがって本発明は当然に、その要旨を逸脱しない範囲内で種々の改良、変形が可能である。例えば、ＭＦＰに限らず、複写機等、画像読取機能及び画像送信機能を備えるものであれば適用可能である。
【００６５】
また、本実施形態では、出力の例として印刷を挙げているが出力とは印刷に限るものではない。例えば、読み取った画像情報を表示パネルに表示したり、ＰＣに送信したりする、等がある。
【符号の説明】
【００６６】
１０    画像形成部
２０    画像読取部
３１    ＣＰＵ
４０    操作パネル
５０    Ｒ／Ｗ装置
９０    原稿
９１    用紙
１００  ＭＦＰ
【図１】
2013093684.tif 000003
【図２】
2013093684.tif 000004
【図３】
2013093684.tif 000005
【図４】
2013093684.tif 000006
【図５】
2013093684.tif 000007